(57)【要約】【課題】撮影準備状態以外では、露出条件を見やすくし、撮影準備状態でも、露出条件は消去するのではなく、被写体の視認性を優先して露出条件を表示できるようにする。【解決手段】画像表示部２８に表示された撮影画像に露出条件を重畳表示するカメラにおいて、撮影準備状態における露出変更時とそれ以外の露出変更時とで、露出条件の表示形態を変える。撮影準備状態で露出変更を行う場合には、被写体の視認性を優先して露出条件の表示を最低限のものとすることで、シャッターチャンスを逃しにくく、また、合焦確認も行いやすくなる。ユーザが露出条件を把握できなくなるのを避けるために、露出条件の表示を消去するのではなく、小さく表示する、図式でなく値のみ表示する、画面端に表示する、表示時間を短くするというように最低限の露出条件表示を行う。【選択図】図１
2008066968.tif 000002
【特許請求の範囲】
【請求項１】
画像を撮影する撮像手段と、
前記撮像手段により撮影された画像を表示する表示手段と、
露出条件を変更する露出条件変更操作手段と、
前記表示手段に表示される画像に露出条件を重畳表示する露出条件表示手段とを備え、
撮影準備状態における露出変更時とそれ以外の露出変更時とで、前記露出条件表示手段による露出条件の表示形態を変えることを特徴とする撮像装置。
【請求項２】
被写体に合焦する合焦手段をさらに備え、前記撮影準備状態とは合焦を完了した状態とすることを特徴とする請求項１に記載の撮像装置。
【請求項３】
撮影準備状態における露出変更時とそれ以外の露出変更時とで、露出条件の図式表示を行うか否かを変えることを特徴とする請求項１又は２に記載の撮像装置。
【請求項４】
撮影準備状態における露出変更時とそれ以外の露出変更時とで、露出条件の表示の大きさを変えることを特徴とする請求項１又は２に記載の撮像装置。
【請求項５】
撮影準備状態における露出変更時とそれ以外の露出変更時とで、露出条件の表示の位置を変えることを特徴とする請求項１又は２に記載の撮像装置。
【請求項６】
撮影準備状態における露出変更時とそれ以外の露出変更時とで、露出条件の表示時間を変えることを特徴とする請求項１又は２に記載の撮像装置。
【請求項７】
画像を撮影する撮像手段と、前記撮像手段により撮影された画像を表示する表示手段と、露出条件を変更する露出条件変更手段とを備え、前記表示手段に表示される画像に露出条件を重畳表示するようにした撮像装置の表示制御方法であって、
撮影準備状態における露出変更時とそれ以外の露出変更時とで、前記表示手段に表示される画像に重畳表示する露出条件の表示形態を変える手順を有することを特徴とする撮像装置の表示制御方法。
【請求項８】
画像を撮影する撮像手段と、前記撮像手段により撮影された画像を表示する表示手段と、露出条件を変更する露出条件変更手段とを備え、前記表示手段に表示される画像に露出条件を重畳表示するようにした撮像装置を制御するコンピュータプログラムであって、
撮影準備状態における露出変更時とそれ以外の露出変更時とで、前記表示手段に表示される画像に重畳表示する露出条件の表示形態を変える処理をコンピュータに実行させることを特徴とするコンピュータプログラム。
【発明の詳細な説明】
【技術分野】
【０００１】
本発明は、撮像装置、撮像装置の表示制御方法、及びコンピュータプログラムに関する。
【背景技術】
【０００２】
撮像装置の操作性の向上を図るため、各種撮影情報を表示する機能を備えたものが知られている。例えば特許文献１には、ユーザの撮影熟練度や撮影情報に対する知識に応じた表示を行うカメラ装置が開示されている。このような各種撮影情報は、大きく表示したり、図式で表示したりしたほうがわかりやすいが、撮影画像に重畳表示する場合、被写体が見づらくなり、シャッターチャンスを逃してしまうおそれがある。
【０００３】
同様の問題に対し、特許文献２には、メニューが撮影画像に重畳表示された場合に、撮影画像がメニューに隠されてしまわないように、シャッター半押し時（撮影準備状態）に重畳表示されたメニューを消去する画像記録装置が開示されている。
【０００４】
【特許文献１】特開２００５−３４８１９６号公報
【特許文献２】特開２００１−２４２５２９号公報
【発明の開示】
【発明が解決しようとする課題】
【０００５】
しかしながら、シャッター半押し時（撮影準備状態）に露出条件（絞り、シャッター速度、感度）を変更可能とした撮像装置においては、被写体が見づらいからといって、シャッター半押し時に撮影画像に重畳表示された露出条件を消去してしまうと不都合が生じる。具体的には、変更している露出条件をユーザが把握することができなくなり、ユーザが所望の露出条件に設定することが難しくなってしまう。
【０００６】
本発明は上記のような点に鑑みてなされたものであり、撮影準備状態以外では、露出条件を見やすくし、撮影準備状態でも、露出条件は消去するのではなく、被写体の視認性を優先して露出条件を表示できるようにすることを目的とする。
【課題を解決するための手段】
【０００７】
本発明の撮像装置は、画像を撮影する撮像手段と、前記撮像手段により撮影された画像を表示する表示手段と、露出条件を変更する露出条件変更操作手段と、前記表示手段に表示される画像に露出条件を重畳表示する露出条件表示手段とを備え、撮影準備状態における露出変更時とそれ以外の露出変更時とで、前記露出条件表示手段による露出条件の表示形態を変える点に特徴を有する。
本発明の撮像装置の表示制御方法は、画像を撮影する撮像手段と、前記撮像手段により撮影された画像を表示する表示手段と、露出条件を変更する露出条件変更手段とを備え、前記表示手段に表示される画像に露出条件を重畳表示するようにした撮像装置の表示制御方法であって、撮影準備状態における露出変更時とそれ以外の露出変更時とで、前記表示手段に表示される画像に重畳表示する露出条件の表示形態を変える手順を有する点に特徴を有する。
本発明のコンピュータプログラムは、画像を撮影する撮像手段と、前記撮像手段により撮影された画像を表示する表示手段と、露出条件を変更する露出条件変更手段とを備え、前記表示手段に表示される画像に露出条件を重畳表示するようにした撮像装置を制御するコンピュータプログラムであって、撮影準備状態における露出変更時とそれ以外の露出変更時とで、前記表示手段に表示される画像に重畳表示する露出条件の表示形態を変える処理をコンピュータに実行させる点に特徴を有する。
【発明の効果】
【０００８】
本発明によれば、ＡＥロック時の露出変更時等、撮影準備状態以外で露出変更を行う場合は、即座に撮影する可能性が低く、合焦確認も行わないと考えられるため、露出条件を把握しやすく表示する。例えば露出条件を大きく表示したり、図式で表示したり、画面の中央付近に表示したり、表示時間を長くすることで露出条件が把握しやすくなる。
そして、撮影準備状態で露出変更を行う場合には、被写体の視認性を優先して露出条件の表示を最低限のものとすることで、シャッターチャンスを逃しにくく、また、合焦確認も行いやすくなる。ユーザが露出条件を把握できなくなるのを避けるために、露出条件の表示を消去するのではなく、小さく表示する、図式でなく値のみ表示する、画面端に表示する、表示時間を短くするというように最低限の露出条件表示を行う。
以上述べたように、撮影準備状態以外では、露出条件を見やすくし、撮影準備状態でも、露出条件は消去するのではなく、被写体の視認性を優先して露出条件を表示することができる。
【発明を実施するための最良の形態】
【０００９】
以下、添付図面を参照して、本発明の好適な実施形態について説明する。
図１は、本発明の実施形態に係る撮像装置１００の構成を示す図である。図１において、１０は撮影レンズである。１２は絞り機能を備えるシャッターである。１４は光学像を電気信号に変換する撮像素子である。１６は撮像素子１４のアナログ信号出力をディジタル信号に変換するＡ／Ｄ変換器である。１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１０】
２０は画像処理回路であり、Ａ／Ｄ変換器１６からのデータ或いはメモリ制御回路２２からのデータに対して所定の画素補間処理や色変換処理を行う。また、画像処理回路２０においては、撮像した画像データを用いて所定の演算処理を行う。そして、得られた演算結果に基づいてシステム制御回路５０が露光制御部４０、測距制御部４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。さらに、画像処理回路２０においては、撮像した画像データを用いて所定の演算処理を行う。そして、得られた演算結果に基づいてＴＴＬ方式のＡＷＢ（オートホワイトバランス）処理も行っている。
【００１１】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００１２】
２４は画像表示メモリである。２６はＤ／Ａ変換器である。２８はＴＦＴ ＬＣＤ等からなる画像表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ファインダ機能を実現することが可能である。また、画像表示部２８は、システム制御回路５０の指示により任意に電子ファインダ機能をＯＮ／ＯＦＦすることが可能であり、電子ファインダ機能をＯＦＦにした場合には撮像装置１００の電力消費を大幅に低減することができる。
【００１３】
この画像表示部２８はシステム制御回路５０でのプログラムの実行に応じて、文字、画像等を用いて動作状態やメッセージ等も表示する。電子ファインダ機能がＯＮであればこれらの動作状態やメッセージ等の表示が画像データに重畳され、電子ファインダ機能がＯＦＦであればこれらの動作状態やメッセージ等の表示のみが行われる。画像表示部２８の表示内容としては、例えば、撮影パラメータに関する内容表示として、合焦表示、手振れ警告表示、フラッシュ充電表示、シャッター時間表示、絞り値表示、ＩＳＯ感度表示、ＡＥロック（以下、ＡＥＬ）アイコン表示、露出補正値表示、発光設定表示、連写／タイマ設定表示、カメラ姿勢アイコン表示、モードアイコン表示、撮影可能枚数表示、測光設定表示、圧縮率設定表示、画像サイズ設定表示がある。システム設定に関する内容表示として、ブザー設定表示、時計用電池残量表示、電池残量表示、エラー表示、日付け・時刻表示、複数桁の数字による情報表示がある。外部機器との接続状態に関する内容表示として、記録媒体２００及び２１０の着脱状態表示、レンズユニット３００の着脱状態表示、通信Ｉ／Ｆ動作表示、外部コンピュータとの接続状態を示す表示等がある。
【００１４】
３０は撮影した静止画像や動画像のデータを格納するためのメモリであり、所定枚数の静止画像や所定時間の動画像のデータを格納するのに十分な記憶量を備えている。これにより、複数枚の静止画像を連続して撮影する連射撮影やパノラマ撮影の場合にも、高速かつ大量の画像書き込みをメモリ３０に対して行うことが可能となる。また、メモリ３０は、システム制御回路５０の作業領域としても使用することが可能である。
【００１５】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００１６】
４０は絞り機能を備えるシャッター１２を制御する露光制御部であり、フラッシュ４８と連携することによりフラッシュ調光機能も有するものである。４２は撮影レンズ１０のフォーカシングを制御する測距制御部である。４４は撮影レンズ１０のズーミングを制御するズーム制御部である。４５は保護手段としてのバリア１０２の動作を制御するバリア制御部である。４８はフラッシュであり、ＡＦ補助光の投光機能、フラッシュ調光機能も有する。露光制御部４０、測距制御部４２はＴＴＬ方式を用いて制御されており、撮像した画像データを画像処理回路２０によって演算した演算結果に基づき、システム制御回路５０が露光制御部４０、測距制御部４２に対して制御を行う。
【００１７】
５０は撮像装置１００全体を制御するシステム制御回路である。５２はシステム制御回路５０の動作用の定数、変数、プログラム等を記憶するメモリである。
【００１８】
５６は電気的に消去・記録可能な不揮発性メモリであり、例えばＥＥＰＲＯＭ等が用いられる。６０、６１、６２、６４、６６及び７０は、システム制御回路５０の各種の動作指示を入力するための操作手段であり、スイッチやダイアル、タッチパネル、視線検知によるポインティング、音声認識装置等の単数或いは複数の組み合わせで構成されている。
【００１９】
ここで、これらの操作手段の具体的な説明を行う。６０はモードダイアルスイッチであり、自動撮影モード、プログラム撮影モード（Ｐモード）、シャッター速度優先撮影モード（Ｔｖモード）、絞り優先撮影モード（Ａｖモード）等の各機能撮影モードを切り替え設定することができる。
【００２０】
６１はＩＳＯダイアルスイッチであり、ＩＳＯ８０、ＩＳＯ１００、ＩＳＯ２００、ＩＳＯ４００、ＩＳＯ８００、ＩＳＯ１６００、ＩＳＯオート、ＩＳＯ高感度オート等、ＩＳＯ感度を切り替え設定することができる。
【００２１】
６２はシャッタースイッチＳＷ１であり、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。６４はシャッタースイッチＳＷ２であり、不図示のシャッターボタンの操作完了でＯＮとなり、撮像素子１４から読み出した信号をＡ／Ｄ変換器１６、メモリ制御回路２２を介してメモリ３０に画像データを書き込む露光処理が開始される。メモリ３０に書き込まれた画像データには、画像処理回路２０やメモリ制御回路２２での演算を用いた現像処理が行われる。そして、圧縮・伸長回路３２で圧縮を行い、記録媒体２００或いは２１０に画像データを書き込む記録処理が行われる。
【００２２】
６６は再生モードスイッチであり、再生モード、マルチ画面再生・消去モード、ＰＣ接続モード等の各機能モードを設定することができる。６８は姿勢モードスイッチであり、姿勢モードのＯＮ／ＯＦＦを設定する。姿勢モードがＯＮに設定されると、カメラ姿勢検知器１０６により撮像装置１００の姿勢を検知し、検知した結果を用いて、撮影時には検知した撮像装置１００の姿勢を撮影した画像と共に画像姿勢フラグとして記録媒体に記録する。再生時には読み出した画像姿勢フラグに応じて画像の表示方法を切り替える動作を行う。
【００２３】
７０は各種ボタンやタッチパネル等からなる操作部であり、露出条件を設定するための露出補正ボタン、絞り変更ボタン（ダイアル）、シャッター時間変更ボタン(ダイアル)、ＡＥロックボタン等がある。他にも、メニューボタン、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチ等がある。
【００２４】
７２は電源スイッチであり、電源ＯＮ、電源ＯＦＦの各モードを切り替え設定することができる。８０は電源制御部であり、電池検出回路、ＤＣ-ＤＣコンバータ、通電するブロックを切り替えるスイッチ回路等により構成されている。電源制御部８０は、電池の装着の有無、電池の種類、電池残量の検出を行い、検出結果及びシステム制御回路５０の指示に基づいてＤＣ-ＤＣコンバータを制御し、必要な電圧を必要な期間、記録媒体を含む各部へ供給する。
【００２５】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプタ等からなる電源である。
【００２６】
９０及び９４はメモリカードやハードディスク等の記録媒体とのインタフェースである。９２及び９６はメモリカードやハードディスク等の記録媒体と接続を行うコネクタである。９８はコネクタ９２及び或いは９６に記録媒体２００或いは２１０が装着されているか否かを検知する記録媒体着脱検知部である。
【００２７】
なお、本実施形態では記録媒体を取り付けるインタフェース及びコネクタを２系統持つものとして説明している。もちろん、記録媒体を取り付けるインタフェース及びコネクタは、単数或いは複数、いずれの系統数を備える構成としても構わない。また、異なる規格のインタフェース及びコネクタを組み合わせて備える構成としても構わない。インタフェース及びコネクタとしては、ＰＣＭＣＩＡカードやＣＦ（コンパクトフラッシュ（登録商標））カード等の規格に準拠したものを用いて構成して構わない。その場合、ＬＡＮカードやモデムカード、ＵＳＢカード、ＩＥＥＥ１３９４カード、Ｐ１２８４カード、ＳＣＳＩカード、ＰＨＳ等の通信カード等の各種通信カードを接続することができる。これにより、他のコンピュータやプリンタ等の周辺機器との間で画像データや画像データに付属した管理情報を転送し合うことができる。
【００２８】
１０４は光学ファインダであり、画像表示部２８による電子ファインダ機能を使用すること無しに、光学ファインダのみを用いて撮影を行うことが可能である。また、光学ファインダ１０４は、画像表示部２８と同様に、例えば、合焦表示、手振れ警告表示、フラッシュ充電表示、シャッター時間表示、絞り値表示、露出補正値表示等の表示機能を担う。
【００２９】
１０６はカメラ姿勢検知器であり、撮像装置１００の姿勢状態を検知することにより、横位置撮影或いは縦位置撮影のいずれの状態かを検知することができる。
【００３０】
１１０は通信部であり、ＲＳ２３２ＣやＵＳＢ、ＩＥＥＥ１３９４、Ｐ１２８４、ＳＣＳＩ、モデム、ＬＡＮ、無線通信等の各種通信機能を有する。１１２は通信部１１０により撮像装置１００を他の機器と接続するコネクタ或いは無線通信の場合はアンテナである。
【００３１】
２００はメモリカードやハードディスク等の記録媒体である。記録媒体２００は、半導体メモリや磁気ディスク等から構成される記録部２０２、撮像装置１００とのインタフェース２０４、撮像装置１００と接続を行うコネクタ２０６を備えている。２１０はメモリカードやハードディスク等の記録媒体である。記録媒体２１０は、半導体メモリや磁気ディスク等から構成される記録部２１２、撮像装置１００とのインタフェース２１４、撮像装置１００と接続を行うコネクタ２１６を備えている。
【００３２】
なお、記録媒体２００及び２１０としては、ＰＣＭＣＩＡカードやコンパクトフラッシュ（登録商標）等のメモリカード、ハードディスク等だけでなく、マイクロＤＡＴ、光磁気ディスク、ＣＤ−ＲやＣＤ−ＲＷ等の光ディスク、ＤＶＤ等の相変化型光ディスク等で構成してもよい。また、記録媒体２００及び２１０は、メモリカードとハードディスク等が一体となった複合媒体であってもよいし、さらに、その複合媒体から一部が着脱可能な構成であってもよい。さらに、上記実施形態においては、記録媒体２００及び２１０は、撮像装置１００と分離していて任意に接続可能なものとして説明したが、いずれか或いは全ての記録媒体が撮像装置１００に固定されていてもよい。
【００３３】
次に、図２〜図１１を参照して、本実施形態に係る撮像装置１００の処理動作を説明する。図２及び図３は本実施形態に係る撮像装置１００の主ルーチンのフローチャートを示す。電池交換等の電源投入により、システム制御回路５０はフラグや制御変数等を初期化し（ステップＳ１０１）、画像表示部２８の電子ファインダ機能をＯＦＦ状態に初期設定する（ステップＳ１０２）。ステップＳ１０１において、ＡＥＬフラグをＯＦＦにしておく。
【００３４】
システム制御回路５０は、電源スイッチ７２の設定位置を判断する（ステップＳ１０３）。電源スイッチ７２が電源ＯＦＦに設定されている場合（ステップＳ１０３）、システム制御回路５０は所定の終了処理を行った後（ステップＳ１０４）、ステップＳ１０３に戻る。終了処理として、画像表示部２８の表示を終了状態に変更する。また、バリア１０２を閉じて撮像部を保護する。また、フラグや制御変数等を含む必要なパラメータや設定値、設定モードを不揮発性メモリ５６に記録する。また、電源制御部８０により画像表示部２８を含む撮像装置１００各部の不要な電源を遮断する。
【００３５】
電源スイッチ７２が電源ＯＮに設定されている場合（ステップＳ１０３）、システム制御回路５０はモードダイアルスイッチ６０の設定位置を判断する。モードダイアルスイッチ６０が撮影モードに設定されている場合（ステップＳ１０５）、ステップＳ１０７に進む。モードダイアルスイッチ６０がその他のモードに設定されている場合（ステップＳ１０５）、システム制御回路５０は選択されたモードに応じた処理を実行し（ステップＳ１０６）、処理を終えたならば、ステップＳ１０３に戻る。
【００３６】
システム制御回路５０は、電源制御部８０により電池等により構成される電源８６の残容量や動作情況が、撮像装置１００の動作に問題があるか否かを判断する（ステップＳ１０７）。電源８６に問題がある場合、システム制御回路５０は画像表示部２８を用いて画像により所定の警告表示を行った後（ステップＳ１０９）、ステップＳ１０３に戻る。電源８６に問題が無い場合、システム制御回路５０は記録媒体２００或いは２１０が装着されているか否かの判断や、記録媒体に対する画像データの記録再生動作に問題があるか否かの判断を行う（ステップＳ１０８）。記録媒体２００或いは２１０等に関して問題がある場合、画像表示部２８を用いて画像により所定の警告表示を行った後（ステップＳ１０９）、ステップＳ１０３に戻る。記録媒体２００或いは２１０等に関して問題が無い場合、ステップＳ１１０に進む。なお、ステップＳ１０８において、システム制御回路５０は、記録媒体２００或いは２１０に記録された画像データの最終撮影番号Ｎｍａｘの取得も行う。最終撮影番号Ｎｍａｘは、記録媒体２００或いは２１０より、コネクタ９２或いは９６、インタフェース９０或いは９４を介して読み出され、システム制御回路５０の内部メモリ或いはメモリ５２に記憶される。
【００３７】
システム制御回路５０は、画像表示部２８を用いて画像により撮像装置１００の各種設定状態の表示を行い（ステップＳ１１０）、ステップＳ１１１に進む。なお、本実施形態では、このステップＳ１１０にて画像表示部２８の電子ファインダ機能がＯＮに設定されているものとして説明を行う。
【００３８】
システム制御回路５０の内部メモリ或いはメモリ５２に記憶されるＡＥＬフラグが設定されている場合（ステップＳ１１１）、測光処理及びＡＥ処理を行うことなくステップＳ１１３に進む。ＡＥＬフラグが設定されていない場合（ステップＳ１１１）、システム制御回路５０は測光処理を行ってＡＥ処理を行い、絞り値、シャッター時間、及び感度を制御し（ステップＳ１１２）、ステップＳ１１３に進む。
【００３９】
システム制御回路５０は、ＡＥＬの設定及び解除処理を行い（ステップＳ１１３）、ステップＳ１１４に進む。このＡＥＬ設定／解除処理の詳細については図４を用いて後述する。
【００４０】
システム制御回路５０は、内部メモリ或いはメモリ５２に記憶されるＡＥＬフラグが設定されているか否かを判断する（ステップＳ１１４）。ＡＥＬフラグが設定されている場合（ステップＳ１１４）、ＡＥＬ時露出変更処理を行い（ステップＳ１１５）、図３のステップＳ１５１に進む。このＡＥＬ時露出変更処理の詳細については図５を用いて後述する。ＡＥＬフラグが設定されていない場合（ステップＳ１１４）、非ＡＥＬ時露出変更処理を行い（ステップＳ１１６）、図３のステップＳ１５１に進む。この非ＡＥＬ時露出変更処理の詳細については図６を用いて後述する。
【００４１】
シャッタースイッチＳＷ１が押されていない場合（ステップＳ１５１）、ステップＳ１０３に戻る。シャッタースイッチＳＷ１が押された場合（ステップＳ１５１）、ステップＳ１５２に進む。システム制御回路５０は、内部メモリ或いはメモリ５２に記憶されるＡＥＬフラグが設定されているか否かを判断する（ステップＳ１５２）。ＡＥＬフラグが設定されている場合（ステップＳ１５２）、測光処理及びＡＥ処理を行うことなくステップＳ１５４に進む。ＡＥＬフラグが設定されていない場合（ステップＳ１５２）、システム制御回路５０は測光処理を行ってＡＥ処理を行い、絞り値、シャッター時間、及び感度を制御し（ステップＳ１５３）、ステップＳ１５４に進む。
【００４２】
システム制御回路５０は、測距処理及びＡＦ処理を行って撮影レンズ１０の焦点を被写体に合わせる（ステップＳ１５４）。この時点において合焦動作が完了し、撮影準備状態となる。
【００４３】
システム制御回路５０は、静止画撮影時に用いられる絞り値及びシャッター時間を画像表示部２８等の表示部に画像データに重畳して表示し、Ａｖ／Ｔｖバーが表示されている場合には、その表示をＯＦＦにした後（ステップＳ１５５）、ステップＳ１５６に進む。
【００４４】
シャッタースイッチＳＷ２が押されずに（ステップＳ１５６）、さらにシャッタースイッチＳＷ１も解除されたならば（ステップＳ１６１）、ステップＳ１０３に戻る。シャッタースイッチＳＷ２が押されずに（ステップＳ１５６）、シャッタースイッチＳＷ１が押されたならば（ステップＳ１６１）、ステップＳ１６２に進む。
【００４５】
システム制御回路５０は、ＡＥＬの設定を行い（ステップＳ１６２）、ステップＳ１６３に進む。このＡＥＬ設定処理の詳細については図８を用いて後述する。
【００４６】
システム制御回路５０は、シャッタースイッチＳＷ１時露出変更処理を行い（ステップＳ１６３）、ステップＳ１５６へ戻る。このシャッタースイッチＳＷ１時露出変更処理の詳細については図９を用いて後述する。
【００４７】
シャッタースイッチＳＷ２が押されたならば（ステップＳ１５６）、ステップＳ１５７に進む。システム制御回路５０は、撮影に備えて保存ファイル名の決定や、新規フォルダの作成等、ファイルやフォルダの管理を行う（ステップＳ１５７）。
【００４８】
システム制御回路５０は、撮影処理を実行する（ステップＳ１５８）。撮影処理は、露光処理及び現像処理からなる。露光処理では、撮像素子１４、Ａ／Ｄ変換器１６、画像処理回路２０、メモリ制御回路２２を介して、或いはＡ／Ｄ変換器から直接メモリ制御回路２２を介して、メモリ３０に撮影した画像データを書き込む。現像処理では、メモリ制御回路２２そして必要に応じて画像処理回路２０を用いて、メモリ３０に書き込まれた画像データを読み出して各種処理を行う。この撮影処理の詳細については図７を用いて後述する。
【００４９】
撮影処理を終えたならば、クイックレビュー表示を行う（ステップＳ１５９）。クイックレビュー表示を終えたならば、システム制御回路５０はメモリ３０に書き込まれた撮影画像データを読み出して、メモリ制御回路２２そして必要に応じて画像処理回路２０を用いて各種画像処理を行う。また、圧縮・伸長回路３２を用いて設定したモードに応じた画像圧縮処理を行う圧縮処理を行う。その後、インタフェース９０或いは９４、コネクタ９２或いは９６を介して、メモリカードやコンパクトフラッシュ（登録商標）カード等の記録媒体２００或いは２１０へ画像データの書き込みを行う記録処理を実行する（ステップＳ１６０）。なお、画像表示部２８がＯＮの場合は、記録媒体２００或いは２１０へ画像データの書き込みを行っている間、書き込み動作中であることを明示する例えば「BUSY」のような表示を画像表示部２８に対して行う。さらに、ＬＥＤを点滅させる等の記録媒体書き込み動作表示も併せて行う。記録処理を終えたならば（ステップＳ１６０）、ステップＳ１０３に戻る。
【００５０】
図４は、図２のステップＳ１１３におけるＡＥＬ設定／解除処理の詳細なフローチャートを示す。システム制御回路５０は、操作部７０に含まれるＡＥＬボタンが押下されているか否かを判断する（ステップＳ４０１）。ＡＥＬボタンが押されていない場合（ステップＳ４０１）、ステップＳ４０５に進み、ＡＥＬボタンが押されている場合（ステップＳ４０１）、ステップＳ４０２に進む。
【００５１】
システム制御回路５０は、モードダイアルスイッチ６０の設定位置を判断する（ステップＳ４０２）。モードダイアルスイッチ６０がＡｖモード、Ｔｖモード、Ｐモードに設定されている場合（ステップＳ４０２）、ＡＥロックを有効にし、システム制御回路５０の内部メモリ或いはメモリ５２に記憶されるＡＥＬフラグを設定する（ステップＳ４０３）。続いて、Ａｖ／Ｔｖバーの表示を更新し（ステップＳ４０４）、ステップＳ４０５に進む。ステップＳ４０４では、画像表示部２８にＡｖ／Ｔｖバーが表示されていなければ新たに表示し、表示されていれば表示を更新する。Ａｖ／Ｔｖバーはユーザによる操作が一定時間無かった場合には、撮影画像の見易さを考慮して消去する。
【００５２】
図１０に、Ａｖ／Ｔｖバーを表示したときの画像表示部２８の表示例を示す。画像表示部２８には、現在の露出設定値としてシャッター時間２８ａ、絞り値２８ｂ、ＩＳＯ感度２８ｃの値が表示されるとともに、Ａｖ／Ｔｖバー２８ｄが表示される。Ａｖ／ＴＶバー２８ｄは、変更対象となる絞り及びシャッター時間の現在の設定値とその前後の値、及びその関係が把握しやすいように表示されるものである。また、実現できない部分も視覚的に把握できるようになっている（図１０のドット部分）。本実施形態では画像表示部２８には、他にもＡＥＬアイコン２８ｅ、露出補正値２８ｆ、発光設定２８ｇ、連写／タイマ設定２８ｈ、カメラ姿勢アイコン２８ｉ、モードアイコン２８ｊ、撮影可能枚数２８ｋ、測光設定２８ｌ、圧縮率設定２８ｍ、画像サイズ設定２８ｎが表示されるものとする。
【００５３】
モードダイアルスイッチ６０がＡｖモード、Ｔｖモード、Ｐモード以外に設定されている場合（ステップＳ４０２）、ステップＳ４０５に進む。
【００５４】
システム制御回路５０は、ＡＥＬ解除に該当する操作が行われているか否かを判断する（ステップＳ４０５）。ＡＥＬ解除操作が行われていない場合（ステップＳ４０５）、ＡＥＬ設定／解除処理ルーチンを終了する。ＡＥＬ解除操作が行われた場合（ステップＳ４０５）、システム制御回路５０は、画像表示部２８のＡｖ／Ｔｖバーの表示を消す（ステップＳ４０６）。そして、内部メモリ或いはメモリ５２に記憶されるＡＥＬフラグをＯＦＦにし（ステップＳ４０７）、ＡＥＬ設定／解除処理ルーチンを終了する。ＡＥＬは、例えばモードダイアルスイッチ６０を操作した場合や、操作部７０に含まれるメニューボタン押下によりメニューを表示させた場合等に解除される。
【００５５】
図５は、図２のステップＳ１１５におけるＡＥＬ時露出変更処理の詳細なフローチャートを示す。これは撮影準備状態以外の露出変更処理の一つである。システム制御回路５０は、モードダイアルスイッチ６０の設定位置を判断する（ステップＳ５０１）。モードダイアルスイッチ６０がＡｖモード、Ｔｖモード、Ｐモードに設定されている場合（ステップＳ５０１）、ステップＳ５０２に進む。それ以外のモードに設定されている場合（ステップＳ５０１）、ＡＥＬ時露出変更処理ルーチンを終了する。
【００５６】
システム制御回路５０は、ＩＳＯダイアルスイッチ６１が操作され、ＩＳＯ感度が変更されたか否かを判断する（ステップＳ５０２）。ＩＳＯ感度が変更されていない場合（ステップＳ５０２）、ステップＳ５０６に進む。ＩＳＯ感度が変更された場合（ステップＳ５０２）、システム制御回路５０は画像表示部２８におけるＩＳＯ値表示を更新する（ステップＳ５０３）。さらに、Ａｖ／Ｔｖ値表示を更新し（ステップＳ５０４）、Ａｖ／Ｔｖバーの表示を更新して（ステップＳ５０５）、ステップＳ５０６に進む。ステップＳ５０５では、画像表示部２８にＡｖ／Ｔｖバーが表示されていなければ新たに表示し、表示されていれば表示を更新する。Ａｖ／Ｔｖバーは、ユーザによる操作が一定時間無かった場合には、撮影画像の見易さを考慮して消去する。
【００５７】
システム制御回路５０は、操作部７０に含まれる絞り変更ボタン（ダイアル）が操作され、Ａｖ値が変更されたか否かを判断する（ステップＳ５０６）。Ａｖ値が変更されていない場合（ステップＳ５０６）、ステップＳ５０９に進む。Ａｖ値が変更された場合（ステップＳ５０６）、システム制御回路５０は画像表示部２８におけるＡｖ／Ｔｖ値表示を更新し（ステップＳ５０７）、Ａｖ／Ｔｖバーの表示を更新して（ステップＳ５０８）、ステップＳ５０９に進む。ステップＳ５０８では、画像表示部２８にＡｖ／Ｔｖバーが表示されていなければ新たに表示し、表示されていれば表示を更新する。Ａｖ／Ｔｖバーは、ユーザによる操作が一定時間無かった場合には、撮影画像の見易さを考慮して消去する。
【００５８】
システム制御回路５０は、操作部７０に含まれるシャッター時間変更ボタン（ダイアル）が操作され、Ｔｖ値が変更された否かを判断する（ステップＳ５０９）。Ｔｖ値が変更されていない場合（ステップＳ５０９）、ＡＥＬ時露出変更処理ルーチンを終了する。Ｔｖ値が変更された場合（ステップＳ５０９）、システム制御回路５０は画像表示部２８におけるＡｖ／Ｔｖ値表示を更新し（ステップＳ５１０）、Ａｖ／Ｔｖバーの表示を更新して（ステップＳ５１１）、ＡＥＬ時露出変更処理ルーチンを終了する。ステップＳ５１１では、画像表示部２８にＡｖ／Ｔｖバーが表示されていなければ新たに表示し、表示されていれば表示を更新する。Ａｖ／Ｔｖバーは、ユーザによる操作が一定時間無かった場合には、撮影画像の見易さを考慮して消去する。
【００５９】
ステップＳ５１１における画像表示部２８の表示例は図１０のようになる。撮影準備状態以外の露出変更操作なので、露出条件の最低限の値表示２８ａ、２８ｂ、２８ｃだけでなく、Ａｖ／Ｔｖバー２８ｄのような図式の表示も合わせて大きく表示することで、露出条件を把握しやすくすることができる。
【００６０】
図６は、図２のステップＳ１１６における非ＡＥＬ時露出変更処理の詳細なフローチャートを示す。これは撮影準備状態以外の露出変更処理の一つである。システム制御回路５０は、モードダイアルスイッチ６０の設定位置を判断する（ステップＳ６０１）。モードダイアルスイッチ６０がＭモード、Ａｖモード、Ｔｖモード、Ｐモード以外に設定されている場合（ステップＳ６０１）、非ＡＥＬ時露出変更処理ルーチンを終了する。
【００６１】
モードダイアルスイッチ６０がＭモードに設定されている場合（ステップＳ６０１）、システム制御回路５０は、ＩＳＯダイアルスイッチ６１が操作され、ＩＳＯ感度が変更されたか否かを判断する（ステップＳ６０２）。ＩＳＯ感度が変更されていない場合（ステップＳ６０２）、ステップＳ６０４に進む。ＩＳＯ感度が変更された場合（ステップＳ６０２）、システム制御回路５０は画像表示部２８におけるＩＳＯ値表示を更新し（ステップＳ６０３）、ステップＳ６０４に進む。
【００６２】
システム制御回路５０は、操作部７０に含まれる絞り変更ボタン（ダイアル）が操作され、ＡＶ値が変更されたか否かを判断する（ステップＳ６０４）。Ａｖ値が変更されていない場合（ステップＳ６０４）、ステップＳ６０７に進む。Ａｖ値が変更された場合（ステップＳ６０４）、システム制御回路５０は画像表示部２８におけるＡｖ値表示を更新し（ステップＳ６０５）、Ａｖバーの表示を更新して（ステップＳ６０６）、ステップＳ６０７に進む。Ａｖバーは、変更対象となる絞りの現在の設定値とその前後の値が把握しやすいように表示されるものである。表示としては、図１０のＡｖ／Ｔｖバー２８ｄの上半分がＡｖバーとして表示される。ステップＳ６０６では、画像表示部２８にＡｖバーが表示されていなければ新たに表示し、表示されていれば表示を更新する。Ａｖバーは、ユーザによる操作が一定時間無かった場合には、撮影画像の見易さを考慮して消去する。
【００６３】
システム制御回路５０は、操作部７０に含まれるシャッター時間変更ボタン（ダイアル）が操作され、Ｔｖ値が変更されたか否かを判断する（ステップＳ６０７）。Ｔｖ値が変更されていない場合（ステップＳ６０７）、非ＡＥＬ時露出変更処理ルーチンを終了する。Ｔｖ値が変更された場合（ステップＳ６０７）、システム制御回路５０は画像表示部２８におけるＴｖ値表示を更新し（ステップＳ６０８）、Ｔｖバーの表示を更新して（ステップＳ６０９）、非ＡＥＬ時露出変更処理ルーチンを終了する。Ｔｖバーは、変更対象となるシャッター時間の現在の設定値とその前後の値が把握しやすいように表示されるものである。表示としては、図１０のＡｖ／Ｔｖバー２８ｄの下半分がＴｖバーとして表示される。ステップＳ６０９では、画像表示部２８にＴｖバーが表示されていなければ新たに表示し、表示されていれば表示を更新する。Ｔｖバーは、ユーザによる操作が一定時間無かった場合には、撮影画像の見易さを考慮して消去する。
【００６４】
モードダイアルスイッチ６０がＡｖモードに設定されている場合（ステップＳ６１０）、システム制御回路５０は、ＩＳＯダイアルスイッチ６１が操作され、ＩＳＯ感度が変更されたか否かを判断する（ステップＳ６１０）。ＩＳＯ感度が変更されていない場合（ステップＳ６１０）、ステップＳ６１２に進む。ＩＳＯ感度が変更された場合（ステップＳ６１０）、システム制御回路５０は画像表示部２８におけるＩＳＯ値表示を更新し（ステップＳ６１１）、ステップＳ６１２に進む。
【００６５】
システム制御回路５０は、操作部７０に含まれる絞り変更ボタン（ダイアル）が操作され、Ａｖ値が変更されたか否かを判断する（ステップＳ６１２）。Ａｖ値が変更されていない場合（ステップＳ６１２）、非ＡＥＬ時露出変更処理ルーチンを終了する。Ａｖ値が変更された場合（ステップＳ６１２）、システム制御回路５０は画像表示部２８におけるＡｖ値表示を更新し（ステップＳ６１３）、Ａｖバーの表示を更新して（ステップＳ６１４）、非ＡＥＬ時露出変更処理ルーチンを終了する。ステップＳ６１４では、画像表示部２８にＡｖバーが表示されていなければ新たに表示し、表示されていれば表示を更新する。Ａｖバーは、ユーザによる操作が一定時間無かった場合には、撮影画像の見易さを考慮して消去する。
【００６６】
モードダイアルスイッチ６０がＴｖモードに設定されている場合（ステップＳ６１５）、システム制御回路５０は、ＩＳＯダイアルスイッチ６１が操作され、ＩＳＯ感度が変更されたか否かを判断する（ステップＳ６１５）。ＩＳＯ感度が変更されていない場合（ステップＳ６１５）、ステップＳ６１７に進む。ＩＳＯ感度が変更された場合（ステップＳ６１５）、システム制御回路５０は画像表示部２８におけるＩＳＯ値表示を更新し（ステップＳ６１６）、ステップＳ６１７に進む。
【００６７】
システム制御回路５０は、操作部７０に含まれる絞り変更ボタン（ダイアル）が操作され、Ｔｖ値が変更されたか否かを判断する（ステップＳ６１７）。Ｔｖ値が変更されていない場合（ステップＳ６１７）、非ＡＥＬ時露出変更処理ルーチンを終了する。Ｔｖ値が変更された場合（ステップＳ６１７）、システム制御回路５０は画像表示部２８におけるＴｖ値表示を更新し（ステップＳ６１８）、Ｔｖバーの表示を更新して（ステップＳ６１９）、非ＡＥＬ時露出変更処理ルーチンを終了する。ステップＳ６１９では、画像表示部２８にＴｖバーが表示されていなければ新たに表示し、表示されていれば表示を更新する。Ｔｖバーは、ユーザによる操作が一定時間無かった場合には、撮影画像の見易さを考慮して消去する。
【００６８】
モードダイアルスイッチ６０がＰモードに設定されている場合（ステップＳ６２０）、システム制御回路５０は、ＩＳＯダイアルスイッチ６１が操作され、ＩＳＯ感度が変更されたか否かを判断する（ステップＳ６２０）。ＩＳＯ感度が変更されていない場合（ステップＳ６２０）、非ＡＥＬ時露出変更処理ルーチンを終了する。ＩＳＯ感度が変更された場合（ステップＳ６２０）、システム制御回路５０は画像表示部２８におけるＩＳＯ値表示を更新し（ステップＳ６２１）、非ＡＥＬ時露出変更処理ルーチンを終了する。
【００６９】
図７は、図３のステップＳ１５８における撮影処理の詳細なフローチャートを示す。システム制御回路５０は、内部メモリ或いはメモリ５２に記憶される測光データに従い、露光制御部４０によって、絞り機能を有するシャッター１２を絞り値に応じて開放して撮像素子１０を露光する（ステップＳ７０１、Ｓ７０２）。
【００７０】
フラッシュ・フラグによりフラッシュ４８が必要か否かを判断し（ステップＳ７０３）、必要な場合はフラッシュを発光させる（ステップＳ７０４）。システム制御回路５０は、測光データに従って撮像素子１４の露光終了を待ち（ステップＳ７０５）、シャッター１２を閉じて（ステップＳ７０６）、撮像素子１４から電荷信号を読み出す。そして、Ａ／Ｄ変換器１６、画像処理回路２０、メモリ制御回路２２を介して、或いはＡ／Ｄ変換器１６から直接メモリ制御回路２２を介して、メモリ３０に撮影画像のデータを書き込む（ステップＳ７０７）。一連の処理を終えたならば、撮影処理ルーチンを終了する。
【００７１】
図８は、図３のステップＳ１６２におけるＡＥＬ設定処理の詳細なフローチャートを示す。システム制御回路５０は、操作部７０に含まれるＡＥＬボタンが押下されているかを判断する（ステップＳ８０１）。ＡＥＬボタンが押されていない場合（ステップＳ８０１）、ＡＥＬ設定処理ルーチンを終了する。ＡＥＬボタンが押された場合（ステップＳ８０１）、ステップＳ８０２に進む。
【００７２】
システム制御回路５０は、モードダイアルスイッチ６０の設定位置を判断する（ステップＳ８０２）。モードダイアルスイッチ６０がＡｖモード、Ｔｖモード、Ｐモードに設定されている場合（ステップＳ８０２）、ＡＥロックを有効にし、システム制御回路５０の内部メモリ或いはメモリ５２に記憶されるＡＥＬフラグを設定する（ステップＳ８０３）。そして、Ａｖ／Ｔｖバーの表示を更新し（ステップＳ８０４）、ＡＥＬ設定処理ルーチンを終了する。ステップＳ８０４では、画像表示部２８にＡｖ／Ｔｖバーが表示されていなければ新たに表示し、表示されていれば表示を更新する。Ａｖ／Ｔｖバーは、ユーザによる操作が一定時間無かった場合には、撮影画像の見易さを考慮して消去する。モードダイアルスイッチ６０がＡｖモード、Ｔｖモード、Ｐモード以外に設定されている場合（ステップＳ８０２）、ＡＥＬ設定処理ルーチンを終了する。
【００７３】
図９は、図３のステップＳ１６３におけるシャッタースイッチＳＷ１時露出変更処理の詳細なフローチャートを示す。これは撮影準備状態における露出変更処理である。システム制御回路５０は、モードダイアルスイッチ６０の設定位置を判断する（ステップＳ９０１）。モードダイアルスイッチ６０がＡｖモード、Ｔｖモード、Ｐモードに設定されている場合（ステップＳ９０１）、ステップＳ９０２に進む。それ以外のモードに設定されている場合（ステップＳ９０１）、シャッタースイッチＳＷ１時露出変更処理ルーチンを終了する。
【００７４】
システム制御回路５０は、ＩＳＯダイアルスイッチ６１が操作され、ＩＳＯ感度が変更されたか否かを判断する（ステップＳ９０２）。ＩＳＯ感度が変更されていない場合（ステップＳ９０２）、シャッタースイッチＳＷ１時露出変更処理ルーチンを終了する。ＩＳＯ感度が変更された場合（ステップＳ９０２）、システム制御回路５０は画像表示部２８におけるＩＳＯ値表示を更新し（ステップＳ９０３）、Ａｖ／Ｔｖ値表示を更新し（ステップＳ９０４）、シャッタースイッチＳＷ１時露出変更処理ルーチンを終了する。
【００７５】
図１１に、画像表示部２８の表示例を示す。撮影準備状態における露出変更処理となるので、シャッター時間２８ａ、絞り値２８ｂ、ＩＳＯ感度２８ｃについては最低限の値の把握ができるように値表示のみ行う。すなわち、シャッターチャンスを逃すことのないよう、被写体の見易さを優先してＡｖ／Ｔｖバーのような大きな図式表示は行わない。図１１では、その他の情報として露出補正値２８ｆも表示している。
【００７６】
以上説明したように、ＡＥＬ時露出変更処理（ステップＳ１１５）やる非ＡＥＬ時露出変更処理（ステップＳ１１６）等、撮影準備状態以外での露出変更処理の際には、露出条件を大きく図式を用いて表示する。これにより、露出条件を把握しやすくする。それに対して、シャッタースイッチＳＷ１時露出変更処理（ステップＳ１６３）のような撮影準備状態での露出変更処理の際には、被写体の視認性を優先して露出条件については最低限表示すべき露出条件の値表示のみ行う。これにより、シャッターチャンスを逃しにくく、また、被写体の合焦確認がしやすくなる。
【００７７】
撮影準備状態以外での露出変更処理の際には、その他にも、露出条件を把握しやすくするために画面の中央付近に表示したり、表示時間を長くしたりしてもよい。逆に、撮影準備状態での露出変更処理の際には、その他にも、被写体を見やすくするために露出条件に関する情報を小さく表示したり、画面端に表示したり、表示時間を短くしたりしてもよい。
【００７８】
なお、本発明は、複数の機器から構成されるシステムに適用しても、一つの機器からなる装置に適用してもよい。
【００７９】
本発明の目的は、上述した実施形態の機能を実現するソフトウェアのプログラムコードを記録した記憶媒体を、システム或いは装置に供給し、そのシステム或いは装置のコンピュータ（又はＣＰＵやＭＰＵ）が記憶媒体に格納されたプログラムコードを読み出し実行することによっても、達成されることは言うまでもない。
【００８０】
この場合、記憶媒体から読み出されたプログラムコード自体が上述した実施形態の機能を実現することになり、プログラムコード自体及びそのプログラムコードを記憶した記憶媒体は本発明を構成することになる。
【００８１】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００８２】
また、コンピュータが読み出したプログラムコードを実行することにより、上述した実施形態の機能が実現されるだけでなく、そのプログラムコードの指示に基づき、コンピュータ上で稼動しているＯＳ（基本システム或いはオペレーティングシステム）等が実際の処理の一部又は全部を行い、その処理によって上述した実施形態の機能が実現される場合も含まれることは言うまでもない。
【００８３】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【図面の簡単な説明】
【００８４】
【図１】本発明の実施形態に係る撮像装置の構成を示す図である。
【図２】本発明の実施形態に係る撮像装置の主ルーチンのフローチャートである。
【図３】本発明の実施形態に係る撮像装置の主ルーチンのフローチャートである。
【図４】ＡＥＬ設定／解除処理のフローチャートである。
【図５】ＡＥＬ時露出変更処理のフローチャートである。
【図６】非ＡＥＬ時露出変更処理のフローチャートである。
【図７】撮影処理のフローチャートである。
【図８】ＡＥＬ設定処理のフローチャートである。
【図９】シャッタースイッチＳＷ１時露出変更処理のフローチャートである。
【図１０】画像表示部の表示例を示す図である。
【図１１】画像表示部の表示例を示す図である。
【符号の説明】
【００８５】
１０    撮影レンズ
１２    絞り機能を備えるシャッター
１４    撮像素子
１６    Ａ／Ｄ変換器
１８    タイミング発生回路
２０    画像処理回路
２２    メモリ制御回路
２４    画像表示メモリ
２６    Ｄ／Ａ変換器
２８    画像表示部
３０    メモリ
３２    圧縮・伸長回路
４０    露光制御部
４２    測距制御部
４４    ズーム制御部
４６    バリア制御部である。
４８    フラッシュ
５０    システム制御回路
５２    メモリ
５６    不揮発性メモリ
６０    モードダイアルスイッチ
６１    ＩＳＯダイアルスイッチ
６２    シャッタースイッチＳＷ１
６４    シャッタースイッチＳＷ２
６６    再生モードスイッチ
６８    姿勢モードスイッチ
７０    操作部
７２    電源スイッチ
８０    電源制御部
【図１】
2008066968.tif 000003
【図２】
2008066968.tif 000004
【図３】
2008066968.tif 000005
【図４】
2008066968.tif 000006
【図５】
2008066968.tif 000007
【図６】
2008066968.tif 000008
【図７】
2008066968.tif 000009
【図８】
2008066968.tif 000010
【図９】
2008066968.tif 000011
【図１０】
2008066968.tif 000012
【図１１】
2008066968.tif 000013